(57)【要約】      （修正有）【課題】波形がつながらない超音波成分での波形接続を行わないことで、違和感の少ない音声切替装置を提供する。【解決手段】音声切替装置は、ＡＤ１の信号を高域をカットするＬＰＦ２と、ＡＤ２の信号をＨｉＧａｉｎＡｍｐからＬｏＧａｉｎＡｍｐの増幅量を引いた値分減衰させるＡＴＴと、ＡＤ１の信号の低域をカットするＨＰＦと、ＡＤ１の信号があるスレッシュを超えているか否かを判定するスレッシュ判定と、スレッシュ判定の情報をもとにＬＰＦ２とＡＴＴの音声信号を切り替えるＳＷと、ＳＷの信号とＨＰＦの信号を加算するＭＩＸと、を備える。【選択図】図２
2019179945.tif 000002
【特許請求の範囲】
【請求項１】
音声をモニタや記録できる音声切替装置であって、アナログ音声を入力する音声入力手段と、前期音声入力手段のレベルを増幅する増幅手段１と、前期音声入力の高域成分をカットするＬＰＦ１と、前期ＬＰＦ１のレベルを増幅する増幅手段１より増幅量が多い増幅手段２と、増幅手段１の信号をデジタルに変換するＡＤ１と、増幅手段２の信号をデジタルに変換するＡＤ２と、ＡＤ１の信号があるスレッシュを超えているか否かを判定するスレッシュ判定と、ＡＤ１の信号を前期ＬＰＦ１と同一の特性で減衰させるＬＰＦ２と、ＡＤ１の信号を前期ＬＰＦ２で減衰させた成分のみ通過させるＨＰＦと、ＡＤ２の信号を増幅手段２から増幅手段１の増幅量を引いた値分減衰させる減衰手段と、ＬＰＦ２と減衰手段の音声信号を切り替える切替ＳＷと、ＡＤ１の信号とＡＴＴの信号の差分を解析する差分解析手段と、前期ＨＰＦの信号と前期ＳＷの信号とをＭＩＸするＭＩＸ手段とを備え、スレッシュ判定の情報をもとにＳＷの制御を行い、差分解析手段の情報をもとに、ＬＰＦ１、ＬＰＦ２、ＭＩＸの制御を行うことを特徴とする音声切替装置。
【請求項２】
差分解析手段の情報をもとに減衰手段の信号のレベルを補正するレベル補正手段を備え、差分があるスレッシュ以上の場合スレッシュ以下になるようにレベル補正手段で補正することを特徴とする請求項１に記載の音声切替装置。
【請求項３】
増幅手段１と増幅手段２の増幅量を切り替える操作部を備え、操作部のゲイン設定に応じて増幅手段１、増幅手段２、ＡＴＴ分の減衰量、スレッシュ判定の閾値、差分解析部のの閾値を切り替えることを特徴とする請求項２に記載の音声切替装置。
【発明の詳細な説明】
【技術分野】
【０００１】
本発明は、音声切替装置に関し、その構成と制御方法に関する。
【背景技術】
【０００２】
従来、音声切替装置において、２つのＡＤを備え、同一信号を異なるレベルで入力し信号レベルに応じて出力を切り替える装置が存在する（特許文献１）。
【０００３】
また、４０ＫＨｚなどの超音波キャリアを用いて可聴帯域の音声を無数の超音波発音体から発し、鋭い指向性の音場を形成することで特定の狭い範囲にいる人にのみ音を流すことのできる超指向性音響システム（パラメトリックスピーカーともいう）が知られている。
【先行技術文献】
【特許文献】
【０００４】
【特許文献１】特開平６−９７８２４号公報
【発明の概要】
【発明が解決しようとする課題】
【０００５】
しかしながら、可聴帯域外の超音波キャリア信号で変調された信号が、片方のＡＤが歪むレベルまで印加された場合、２つのＡＤ間でＤＣオフセットが発生してしまい、波形をつなげることができず、逆にノイズを付加することで違和感のあるものになってしまう。
【０００６】
そこで、本発明は、波形がつながらないことを検出し、その際つながるように波形成形することで違和感の少ない音声切替装置を提供することを目的とする。
【課題を解決するための手段】
【０００７】
上記の目的を達成するために、本発明に係る音声切替装置は、
音声をモニタや記録できる音声切替装置であって、アナログ音声を入力する音声入力手段と、前期音声入力手段のレベルを増幅する増幅手段１と、前期音声入力の高域成分をカットするＬＰＦ１と、前期ＬＰＦ１のレベルを増幅する増幅手段１より増幅量が多い増幅手段２と、増幅手段１の信号をデジタルに変換するＡＤ１と、増幅手段２の信号をデジタルに変換するＡＤ２と、ＡＤ１の信号があるスレッシュを超えているか否かを判定するスレッシュ判定と、ＡＤ１の信号を前期ＬＰＦ１と同一の特性で減衰させるＬＰＦ２と、ＡＤ１の信号を前期ＬＰＦ２で減衰させた成分のみ通過させるＨＰＦと、ＡＤ２の信号を増幅手段２から増幅手段１の増幅量を引いた値分減衰させる減衰手段と、ＬＰＦ２と減衰手段の音声信号を切り替える切替ＳＷと、ＡＤ１の信号とＡＴＴの信号の差分を解析する差分解析手段と、前期ＨＰＦの信号と前期ＳＷの信号とをＭＩＸするＭＩＸ手段とを備え、スレッシュ判定の情報をもとにＳＷの制御を行い、差分解析手段の情報をもとに、ＬＰＦ１、ＬＰＦ２、ＭＩＸの制御を行うことを特徴とする。
【発明の効果】
【０００８】
本発明によれば、パラメトリックスピーカーなどの超音波キャリア信号を搬送波に用いた超指向性音響システムにおいて発せられて音声を入力されても違和感の少ない音声切替装置の提供を実現できる。
【図面の簡単な説明】
【０００９】
【図１】実施例の装置の全体ブロック図である。
【図２】実施例１の音声切替手段を示すブロック図である。
【図３】実施例１の制御フローチャートである。
【図４】実施例２の音声切替手段を示すブロック図である。
【図５】実施例２の制御フローチャートである。
【発明を実施するための形態】
【００１０】
以下、図面を参照して本発明の実施例を詳細に説明するが、この発明は以下の実施の形態に限定されない。
【００１１】
＜第１の実施形態＞
図１、図２、図３を用いて、音声をモニタや記録できる音声切替手段であって、アナログ音声を入力する音声入力手段と、前期音声入力手段のレベルを増幅する増幅手段１と、前期音声入力の高域成分をカットするＬＰＦ１と、前期ＬＰＦ１のレベルを増幅する増幅手段１より増幅量が多い増幅手段２と、増幅手段１の信号をデジタルに変換するＡＤ１と、増幅手段２の信号をデジタルに変換するＡＤ２と、ＡＤ１の信号があるスレッシュを超えているか否かを判定するスレッシュ判定と、ＡＤ１の信号を前期ＬＰＦ１と同一の特性で減衰させるＬＰＦ２と、ＡＤ１の信号を前期ＬＰＦ２で減衰させた成分のみ通過させるＨＰＦと、ＡＤ２の信号を増幅手段２から増幅手段１の増幅量を引いた値分減衰させる減衰手段と、ＬＰＦ２と減衰手段の音声信号を切り替える切替ＳＷと、ＡＤ１の信号とＡＴＴの信号の差分を解析する差分解析手段と、前期ＨＰＦの信号と前期ＳＷの信号とをＭＩＸするＭＩＸ手段とを備え、スレッシュ判定の情報をもとにＳＷの制御を行い、差分解析手段の情報をもとに、ＬＰＦ１、ＬＰＦ２、ＭＩＸの制御を行うことを特徴とした音声切替装置について説明する。
【００１２】
図１は、実施例１の音声切替装置１００の全体構成を示すブロック図である。
【００１３】
図１において、１０１は、撮影レンズにより取り込まれた被写体の光学像をＣＣＤセンサやＣＭＯＳセンサ等の撮像素子により画像信号に変換し、アナログデジタル変換をして、画像処理部１０２に送信する撮像部である。
【００１４】
１０２は、入力されたデジタル画像信号に、設定値に基づいてホワイトバランスや色、明るさなどを調整し映像反転など画質調整処理を行いメモリ１０５や後述の表示制御部１０９、制御部１１１に送信する画像処理部である。
【００１５】
１０３は、内蔵されたマイクまたは音声入力端子を介して接続された外部マイク等により、音声切替装置１００の周辺の音声を集音し、音声処理部１０４に送信する音声入力部である。
【００１６】
１０４は、入力された音声信号をアナログデジタル変換を行いチャネル割り付けやレベルの適正化処理、特定周波数の低減処理等の音声に関する処理を行いメモリ１０５に送信する音声処理部である。
【００１７】
１０５は、画像処理部１０２、音声処理部１０４により得られた画像信号及び音声信号を一時的に記憶するメモリである。
【００１８】
１０６は、メモリ１０５に一時的に記憶された画像信号や音声信号を読み出して画像信号の符号化、音声信号の符号化などを行い、圧縮画像データ、圧縮音声データ等を生成し、記録再生部１０７に送信する符号化処理部である。
【００１９】
１０７は、符号化処理部１０６で生成された圧縮画像データ、圧縮音声データ、その他撮影に関する制御データ等を記録媒体１０８に転送し記録制御を行ったり、記録媒体１０８に記録された圧縮画像データ、圧縮音声データ、各種データ、プログラムを読み出しする記録再生部である。
【００２０】
１０８は、記録再生部１０７からのデータを記録保存する記録媒体である。圧縮画像データ、圧縮音声データ、等を記録することができれば、磁気ディスク、光学式ディスク、半導体メモリなどのあらゆる方式の記録媒体であってよく、また複数の記録媒体であってもよい。
【００２１】
１０９は、符号化処理部１０６から送信された画像信号や画像処理部１０２から送信された画像信号にかかる映像や、音声切替装置１００の操作をするための操作画面（メニュー画面）等を表示部１１０に表示させる表示制御部である。
【００２２】
１１０は、表示制御部からのデータを表示する表示部である。例えば、液晶ディスプレイ、有機ＥＬディスプレイ、電子ペーパー等の表示デバイスなどである。
【００２３】
１１２は、ボタンやダイヤルなどからなり、ユーザの操作に応じて、指示信号を制御部１１１に送信する操作部である。例えば、電源ボタン、記録開始ボタン、メニュー表示ボタン、決定ボタン、カーソルキー、表示部１１０の任意の点を指定するためのポインティングデバイス、タッチパネル等からなる。
【００２４】
１１１は、操作部から送信された指示信号に基づいて、音声切替装置１００の各ブロックに制御信号を送信することで、各ブロックを制御する制御部である。各種処理（プログラム）を実行するための例えば、ＣＰＵ（ＭＰＵ）、メモリ（ＤＲＡＭ、ＳＲＡＭ）などからなる。１１３は、各種データ、制御信号などを音声切替装置１００の各ブロックに送るバスである。
【００２５】
ここで、本実施例の音声切替装置の通常の動作について説明する。
【００２６】
本実施例の音声切替装置１００は、ユーザが操作部１１２の電源ボタンを操作すると、操作部１１２から制御部１１１に起動の指示が出される。この指示を受けて、制御部１１１は、不図示の電源供給部を制御して、音声切替装置１００の各ブロックに対して電源を供給させる。
【００２７】
電源が供給されると、制御部１１１は、例えば、操作部１１２のモード切り換えスイッチが、例えば、撮影モード、再生モード等のどのモードであるかを操作部１１２からの指示信号により確認する。撮影モードでは、音声切替装置１００は撮影待機状態でユーザが操作部１１２の記録開始ボタンを操作することで、撮影を開始し、その間、圧縮画像データと圧縮音声データが、記録媒体１０８に記録される。そしてユーザが操作部１１２の撮影終了ボタンを操作することで、撮影を終了し、再び撮影待機状態になる。再生モードでは、ユーザが選択したファイルに関する圧縮画像データと圧縮音声データを記録媒体１０８から再生して表示部１１０に映像を表示させる。
【００２８】
まず、撮影モードについて説明する。
【００２９】
撮影モードが設定されると前述のようにまず、撮影待機状態に設定される。撮影待機状態で、ユーザが操作部１１２の記録開始ボタンを操作することにより撮影開始の指示信号が送信されると、制御部１１１は、撮影開始の制御信号を音声切替装置１００の各ブロックに送信し、以下のような動作をさせるように制御する。
【００３０】
撮像部１０１は、撮影レンズにより取り込まれた被写体の光学像を撮像素子により画像信号に変換し、アナログデジタル変換し、画像処理部１０２に送信する。画像処理部１０２は、入力されたデジタル画像信号の画質調整処理（ホワイトバランスや色、明るさなど）を設定値に基づいて処理し、表示制御部１０９に送信する。表示制御部１０９は、受信した画像信号に関する映像を表示部１１０に表示させる。また、画像信号はメモリ１０５にも出力され、メモリ１０５に一時的に記憶される。
【００３１】
音声入力部１０３は、内蔵されたマイクまたは音声入力端子を介して接続された音声装置から得られた音声信号音声処理部１０４に送信する。音声処理部１０４は、入力された音声信号を必要に応じて選択し、アナログデジタル変換を行い、レベルの適正化処理、特定周波数の低減処理等をして音声信号を生成して、メモリ１０５に一時的に記憶される。
【００３２】
そして、符号化処理部１０６は、メモリ１０５に一時的に記憶された画像信号や音声信号を読み出して所定の符号化を行い、圧縮画像データ、圧縮音声データ等を生成する。そして、制御部１１１は、これらの圧縮画像データ、圧縮音声データを合成し、データストリームを形成し、記録再生部１０７に出力する。記録再生部１０７は、ＵＤＦ、ＦＡＴ等のファイルシステム管理のもとに、データストリームを一つの動画ファイルとして記録媒体１０８に書き込んでいく。
【００３３】
以上の動作を撮影中は継続する。
【００３４】
そして、ユーザが操作部１１２の記録ボタンを操作することにより撮影終了の指示信号が制御部１１１に送信されると、制御部１１１は、撮影終了の制御信号を音声切替装置１００の各ブロックに送信し、以下のような動作をさせるように制御する。
【００３５】
画像処理部１０２、音声処理部１０４は、それぞれ画像信号、音声信号をメモリ１０５に送信するのを停止する。そして、符号化処理部１０６は、メモリ１０５に記憶されている残りの画像信号と音声信号とを読出して所定の符号化を行い、圧縮画像データ、圧縮音声データ等を生成し、それが終わると動作を停止する。
【００３６】
制御部１１１は、これらの最後の圧縮画像データ、圧縮音声データを合成し、データストリームを形成し、記録再生部１０７に出力する。
【００３７】
記録再生部１０７は、ＵＤＦ、ＦＡＴ等のファイルシステム管理のもとに、データストリームを一つの動画ファイルとして記録媒体１０８に書き込んでいく。そして、データストリームの供給が停止したら、動画ファイルを完成させて、記録動作を停止させる。
【００３８】
制御部１１１は、記録動作が停止すると、撮影待機状態に移行させるように制御信号を音声切替装置１００の各ブロックに送信して、撮影待機状態に戻る。
【００３９】
また、撮影待機状態では、制御部１１１は、音声切替装置１００の各ブロックを以下のような動作をさせるように制御する。画像処理部１０２は、画像信号を表示制御部１０９に送信し表示部１１０に画像信号に関する映像を表示させる。ユーザはこの様にして表示された画面を見ながら撮影の準備を行う。
【００４０】
次に、再生モードでは、制御部１１１は、再生状態に移行させるように制御信号を音声切替装置１００の各ブロックに送信し、以下のような動作をさせる。記録媒体１０８に記録された圧縮画像データと圧縮音声データとからなる動画ファイルを記録再生部１０７が読出して、読出された圧縮画像データ、圧縮音声データは、符号化処理部１０６に送る。符号化処理部１０６は、圧縮画像データ、圧縮音声データを一時的にメモリ１０５に記憶させ、所定の手順で復号し、復号化した画像信号を表示制御部１０９に送信する。表示制御部１０９は、入力された画像信号にかかる映像を表示部１１０に表示させる。
【００４１】
ここで、本実施例の音声切替装置の特徴的な動作について説明する。
【００４２】
図２は、実施例１の音声処理部を示すブロック図である。
【００４３】
図２において、２０１は、１０３音声入力部の信号を増幅するＬｏＧａｉｎＡｍｐである。
【００４４】
２０２は、２０１ＬｏＧａｉｎＡｍｐの信号をデジタル変換するＡＤ１である。
【００４５】
２０３は、２０２ＡＤ１の信号の高域をカットするＬＰＦ２である。
【００４６】
２０４は、１０３音声入力部の信号の低域を２０３ＬＰＦ２と同様の特性で減衰させるＬＰＦ１である。
【００４７】
２０５は、２０４ＬＰＦ１の信号を２０１ＬｏＧａｉｎＡｍｐより増幅量を多く設定されたＨｉＧａｉｎＡｍｐである。
【００４８】
２０６は、２０５ＨｉＧａｉｎＡｍｐの信号をデジタル変換するＡＤ２である。
【００４９】
２０７は、２０６ＡＤ２の信号を２０５ＨｉＧａｉｎＡｍｐから２０１ＬｏＧａｉｎＡｍｐの増幅量を引いた値分減衰させるＡＴＴである。
【００５０】
２０８は、２０２ＡＤ１と２０７ＡＴＴの信号の差分を解析する差分解析である。
【００５１】
２０９は、２０２ＡＤ１の信号があるスレッシュを超えているか否かを判定するスレッシュ判定である。
【００５２】
２１０は、２０９スレッシュ判定の情報をもとに２０３ＬＰＦ２の信号と２０７ＡＴＴの信号を切り替えるＳＷである。
【００５３】
２１１は、ＡＤ１の信号を前記ＬＰＦ２で減衰させた成分のみ通過させるＨＰＦである。
【００５４】
２１２は、前記ＨＰＦの信号と前期ＳＷの信号とをＭＩＸするＭＩＸである。
【００５５】
図３は、実施例１の制御フローチャートである。
【００５６】
図３（ａ）のＤｉｆｆは、ＡＤ１の出力レベルとＡＴＴの出力レベルの差分の絶対値、ＡＤ１はＡＤ１の出力レベル、ＡＴＴはＡＴＴ出力レベル、ＤＩＦＦ＿ＴＨは補正が必要となるスレッシュレベル、ＤｉｆｆＦｌａｇは差分有無であり、１は差分大、０は差分小とする。図３（ｂ）のＬｔｈはスレッシュ判定のスレッシュレベルである。
【００５７】
次に、実施例１の特徴的な制御フローを図３を中心に説明を行う。
【００５８】
図３（ａ）は２０８差分解析の制御フローであり、図３（ｂ）は実際に差分解析の情報をもとにスレッシュ判定が２１０ＳＷ、２０３ＬＰＦ２、２０４ＬＰＦ１、２１０ＭＩＸを制御しているフローである。
【００５９】
Ｓ３０１にて差分検出を開始する。Ｓ３０２にてＤｉｆｆを算出する。Ｓ３０３にて差分がＤＩＦＦ＿Ｔｈより小さければＤｉｆｆＦｌａｇ＝０をセット、以上であればＤｉｆｆＦｌａｇ＝１をセットする。
【００６０】
Ｓ４０１にて各ブロックの制御を行う。Ｓ４０２にてＡＤ１＞ＬｔｈでなければＳ４１１にてＬＰＦ２＝ＯＦＦ、Ｓ４１２にてＬＰＦ１＝ＯＦＦ、Ｓ４１３にてＭＩＸ＝ＯＦＦ、Ｓ４１４にてＳＷをＬＰＦ２からＡＴＴ側に切り替える。
【００６１】
Ｓ４０２にてＡＤ１≦ＬｔｈであればＳ４０３にてＤｉｆｆＦｌａｇの判定を行う。ＤｉｆｆＦｌａｇ＝１であれば、差分が大きくつながらないため、Ｓ４０４にてＬＰＦ２＝ＯＮ、Ｓ４０５にてＬＰＦ１＝ＯＮ、Ｓ４０６にてＭＩＸ＝ＯＮ、Ｓ４０７に進みＳＷをＡＴＴ側からＬＰＦ２側に切り替える。Ｓ４０３にてＤｉｆｆＦｌａｇ＝０であれば差分が小さいので従来通りＳ４０８にてＬＰＦ２＝ＯＦＦ、Ｓ４０９にてＬＰＦ１＝ＯＦＦ、Ｓ４１０にてＭＩＸ＝ＯＦＦ、Ｓ４０７に進みＳＷをＴＴ側からＬＰＦ２側に切り替える。
【００６２】
これらの構成、制御により、パラメトリックスピーカーなどの超音波キャリア信号を搬送波に用いた超指向性音響システムにおいて発せられた音声が入力され、ＤＣオフセットが発生してもＡＤ前のアナログ信号でＬＰＦを介して高周波成分を落とすことによりオフセットが発生せず違和感の少ない音声切替手段を提供することが可能となる。
【００６３】
＜第２の実施形態＞
図４、図５を用いて、音声をモニタや記録できる音声切替手段であって、アナログ音声を入力する音声入力手段と、前期音声入力手段のレベルを増幅する増幅手段１と、前期音声入力の高域成分をカットするＬＰＦ１と、前期ＬＰＦ１のレベルを増幅する増幅手段１より増幅量が多い増幅手段２と、増幅手段１の信号をデジタルに変換するＡＤ１と、増幅手段２の信号をデジタルに変換するＡＤ２と、ＡＤ１の信号があるスレッシュを超えているか否かを判定するスレッシュ判定手段と、ＡＤ１の信号を前期ＬＰＦ１と同一の特性で減衰させるＬＰＦ２と、ＡＤ１の信号を前期ＬＰＦ２で減衰させた成分のみ通過させるＨＰＦと、ＡＤ２の信号を増幅手段２から増幅手段１の増幅量を引いた値分減衰させる減衰手段と、スレッシュ判定の情報をもとにＬＰＦ２と減衰手段の音声信号を切り替える切替ＳＷと、ＡＤ１の信号とＡＴＴの信号の差分を解析する差分解析手段と、差分解析手段の情報をもとに前期ＨＰＦの信号と前期ＳＷの信号とをＭＩＸするＭＩＸ手段と、差分解析手段の情報をもとに減衰手段の信号のレベルを補正するレベル補正手段と、増幅手段１と増幅手段２の増幅量を切り替える操作部と、差分があるスレッシュ以上の場合スレッシュ以下になるようにレベル補正手段で補正し、操作部のゲイン設定に応じて増幅手段１、増幅手段２、ＡＴＴ分の減衰量、スレッシュ判定の閾値、差分解析部の閾値を切り替えることを特徴とした音声切替手段について説明する。
【００６４】
図４は、実施例２の音声処理部を示すブロック図であり、２０８差分解析の結果を用いて２０７ＡＴＴの出力レベルを補正するレベル補正である。
【００６５】
図５は実施例２の制御フローチャートであり、Ｇｉｎａは内蔵マイクＬｏゲイン、ＧＩｎｂは内蔵マイクＨｉゲイン、ＧＥｘａはライン入力Ｌｏゲイン、ＧＥｘｂはライン入力Ｈｉゲイン、ＧＬｎａはφ３．５マイクＬｏゲイン、ＧＬｎｂはφ３．５マイクＨｉゲイン、ＡＴＴは２０７ＡＴＴの減衰量、Ｉｎｔｈは内蔵マイク時のスレッシュ判定の閾値、Ｅｘｔｈは３．５マイク時のスレッシュ判定の閾値、Ｌｎｔｈはライン入力時のスレッシュ判定の閾値、ＩｎｄＴｈは内蔵マイク時のＤｉｆｆＦｌａｇを立てるか否かの閾値、ＥｘｄＴｈはφ３．５マイク時のＤｉｆｆＦｌａｇを立てるか否かの閾値、ＬｎｄＴｈはライン入力時のＤｉｆｆＦｌａｇを立てるか否かの閾値である。
【００６６】
次に、実施例２の特徴的な制御フローを図５を中心に説明を行う。
【００６７】
図５（ａ）は実施例２の差分補正フローであり、図５（ｂ）は入力感度切り替えによる各パラメータの切り替えフローである。Ｓ５０１にて差分補正を開始する。Ｓ５０２にてＤｉｆｆを算出。Ｓ５０３にてＤｉｆｆ＜Ｄｉｆｆ＿Ｔｈであれば差分が大きくないため補正不要と判断。３０１レベル補正ブロックの補正値＝０としＤｉｆｆＦｌａｇ＝０としＳ５０１に抜ける。
【００６８】
Ｓ５０３にてＤｉｆｆ≧Ｄｉｆｆ＿Ｔｈであれば差分が無視できないくらい大きいため補正が必要と判断、補正値＝（Ｄｉｆｆ＿Ｔｈ−Ｄｉｆｆ）を算出し３０１レベル補正ブロックの補正値として与え、ＤｉｆｆＦｌａｇ＝１を立ててＳ５０１に戻る。
【００６９】
Ｓ６０１では入力感度切り替えの動作に伴う動作遷移を開始する。今回の例では感度の異なる入力系が３系統、それぞれ内蔵マイク入力、φ３．５マイク入力、ライン入力の３系統あることを想定して記述するが、増減するだけパラメータが増減してもかまわない。
【００７０】
Ｓ６０２にて１１２の操作部が内蔵マイクを選択している場合、Ｓ６０３にてＬｏＡｍｐＧａｉｎ、ＨｉＡｍｐＧａｉｎ、ＡＴＴ量、Ｌｔｈ、Ｄｉｆｆ＿Ｔｈのパラメータを内蔵マイク用にに設定する。Ｓ６０４にてφ３．５入力を選択していると判断した場合、Ｓ６０５にてそれぞれのパラメータをφ３．５マイク入力用に設定する。Ｓ６０４にてφ３．５入力でないと判断した場合はライン入力であるため、６０５にてそれぞれのパラメータをライン入力用に設定する。
【００７１】
差分解析からの情報をもとにスレッシュ判定が２１０ＳＷ、２０３ＬＰＦ２、２０４ＬＰＦ１、２１０ＭＩＸを制御している動作フローは実施例１と同様である。
【００７２】
本実施例では、音声切替装置を例にとって説明したが、本発明は、音声切替装置に限られるものではない。本実施例のように音声を集音するものであれば、どのような装置であってもよい。たとえば、ボイスレコーダーや携帯電話、スマートフォン、パソコン・・・・・であってもよい。また、音声入力１つの構成で説明を行ったが、複数のマイクを用いた装置であってもよい。たとえばステレオマイクや５．１ｃｈや７．１ｃｈなどであってもよい。
【符号の説明】
【００７３】
１００  音声切替装置、１０１  撮像部、１０２  画像処理部、１０３  音声入力部、
１０４  音声処理部、１０５  メモリ、１０６  符号化処理部、１０７  記録再生部、
１０８  記録媒体、１０９  表示制御部、１１０  表示部、１１１  制御部、
１１２  操作部、１１３  バス、１１４  音声出力部、２０１  ＬｏＧａｉｎＡｍｐ、
２０２  ＡＤ１、２０３  ＬＰＦ２、２０４  ＬＰＦ１、２０５  ＨｉＧａｉｎＡｍｐ、
２０６  ＡＤ２、２０７  ＡＴＴ、２０８  差分解析、２０９  スレッシュ判定、
２１０  ＳＷ、２１１  ＨＰＦ、２１２  ＭＩＸ、３０１  レベル補正
【図１】
2019179945.tif 000003
【図２】
2019179945.tif 000004
【図３】
2019179945.tif 000005
【図４】
2019179945.tif 000006
【図５】
2019179945.tif 000007